(57)【要約】【課題】レンズキャップ部装着時において、鏡胴部とレンズキャップ部との接続部分が鏡胴部の外周面部より外部側へ突出することを防止できるレンズ鏡筒及び撮像装置を提供する。【解決手段】鏡胴部２１とレンズキャップ部３０とをリンク４１により接続した接続部４０を設け、これらの接続部分にそれぞれ第１の回転部、第２の回転部を形成した２軸構成とし、接続部４０は、レンズキャップ部３０が閉位置の場合に鏡胴部２１外周面より内部側に位置し、レンズキャップ部３０が開位置にある場合にレンズキャップ部３０側の第２の回転部が鏡胴部２１の側面部２１ａより外部側に突出する。【選択図】図１
2006317793.tif 000002
【特許請求の範囲】
【請求項１】
光学系を収容する鏡胴部と、
前記光学系の対物レンズをカバーする閉位置と、前記光学系に入射する像光の光路から退避した開位置との間を移動するレンズキャップ部と、
前記鏡胴部と前記レンズキャップ部の外周縁部の一部とを接続する接続部とを備えるレンズ鏡筒において、
前記接続部は、
前記鏡胴部の対物側の端部に設けられ、前記レンズキャップ部を前記鏡胴部に対して回転可能に支持する第１の回転部と、
前記第１の回転部よりも前記レンズキャップ部側に設けられ、前記レンズキャップ部を前記第１の回転部に対して回転可能に支持する第２の回転部とを備え、
前記第２の回転部は、前記レンズキャップ部が閉位置にある場合に前記鏡胴部の外周面部より内部側に位置し、前記レンズキャップ部が開位置にある場合に前記鏡胴部の外周面部より外部側に突出すること
を特徴とするレンズ鏡筒。
【請求項２】
請求項１に記載のレンズ鏡筒において、
前記接続部は、前記レンズキャップ部と前記鏡胴部との間に設けられ、分離可能に形成された分離部を備えること
を特徴とするレンズ鏡筒。
【請求項３】
請求項２に記載のレンズ鏡筒において、
前記接続部の前記分離部は、分離時にその少なくとも一部が弾性変形すること
を特徴とするレンズ鏡筒。
【請求項４】
請求項１から請求項３までのいずれか１項に記載のレンズ鏡筒において、
前記第１の回転部、前記第２の回転部の少なくとも一方は、相互に押圧された状態で摺動する少なくとも一対の摩擦面部を備えること
を特徴とするレンズ鏡筒。
【請求項５】
請求項１から請求項４までのいずれか１項に記載のレンズ鏡筒において、
前記レンズキャップ部の前記対物レンズに対向する面部と、前記鏡胴部の対物側の端部に形成され、フィルタ又は補助レンズが装着される装着部の対物側の端部とを、前記レンズキャップ部が前記閉位置にあるときに所定の距離をおいて離間させたこと
を特徴とするレンズ鏡筒。
【請求項６】
請求項１から請求項５までのいずれか１項に記載のレンズ鏡筒において、
前記レンズキャップ部の前記対物レンズに対向する面部は、フィルタ又は補助レンズを備えること
を特徴とするレンズ鏡筒。
【請求項７】
請求項１から請求項６までのいずれか１項に記載のレンズ鏡筒と、
前記レンズ鏡筒と分割して設けられるとともに回転軸により連結され、前記回転軸回りに前記レンズ鏡筒と相対回転可能な本体部と
を備える撮像装置。
【発明の詳細な説明】
【技術分野】
【０００１】
本発明は、レンズキャップを備えたレンズ鏡筒及び撮像機器に関するものである。
【背景技術】
【０００２】
レンズ鏡筒は、光学系を収容する鏡胴部に対して対物レンズを保護するレンズキャップ部の外周縁部の一部が接続され、この接続部分に設けられた軸回りにレンズキャップ部を回転させることにより、容易にレンズキャップ部の開閉ができるものが知られている（例えば、特許文献１参照）。また、鏡胴部の対物側の端部に環状のベース部材を着脱可能に装着し、このベース部材にレンズキャップ部を接続したものも知られている（例えば、特許文献２参照）。
【０００３】
しかし、上記のレンズ鏡筒は、レンズキャップ部と鏡胴部との接続部分（軸受部分）が鏡胴部の外周面部より外部側に突出して形成されており、レンズキャップ部装着時のレンズ鏡筒の外周面部に突出物が形成される。近年、デジタルカメラ等は、レンズ鏡筒を含めたボディー全体が小型化、薄型化の傾向にあり、上記のような突出物が存在するとボディー全体を小型化、薄型化するメリットが損なわれる。
【０００４】
【特許文献１】特開２００１−２１９５０号公報
【特許文献２】特開２００４−２０５９２３号公報
【発明の開示】
【発明が解決しようとする課題】
【０００５】
本発明の課題は、レンズキャップ部装着時において、鏡胴部とレンズキャップ部との接続部分が鏡胴部の外周面部より外部側に突出することを防止できるレンズ鏡筒及び撮像装置を提供することである。
【課題を解決するための手段】
【０００６】
本発明は、以下のような解決手段により、前記課題を解決する。
請求項１の発明は、光学系を収容する鏡胴部と、前記光学系の対物レンズをカバーする閉位置と、前記光学系に入射する像光の光路から退避した開位置との間を移動するレンズキャップ部と、前記鏡胴部と前記レンズキャップ部の外周縁部の一部とを接続する接続部とを備えるレンズ鏡筒において、前記接続部は、前記鏡胴部の対物側の端部に設けられ、前記レンズキャップ部を前記鏡胴部に対して回転可能に支持する第１の回転部と、前記第１の回転部よりも前記レンズキャップ部側に設けられ、前記レンズキャップ部を前記第１の回転部に対して回転可能に支持する第２の回転部とを備え、前記第２の回転部は、前記レンズキャップ部が閉位置にある場合に前記鏡胴部の外周面部より内部側に位置し、前記レンズキャップ部が開位置にある場合に前記鏡胴部の外周面部より外部側に突出することを特徴とするレンズ鏡筒である。
【０００７】
請求項２の発明は、請求項１に記載のレンズ鏡筒において、前記接続部は、前記レンズキャップ部と前記鏡胴部との間に設けられ、分離可能に形成された分離部を備えることを特徴とするレンズ鏡筒である。
請求項３の発明は、請求項２に記載のレンズ鏡筒において、前記接続部の前記分離部は、分離時にその少なくとも一部が弾性変形することを特徴とするレンズ鏡筒である。
請求項４の発明は、請求項１から請求項３までのいずれか１項に記載のレンズ鏡筒において、前記第１の回転部、前記第２の回転部の少なくとも一方は、相互に押圧された状態で摺動する少なくとも一対の摩擦面部を備えることを特徴とするレンズ鏡筒である。
請求項５の発明は、請求項１から請求項４までのいずれか１項に記載のレンズ鏡筒において、前記レンズキャップ部の前記対物レンズに対向する面部と、前記鏡胴部の対物側の端部に形成され、フィルタ又は補助レンズが装着される装着部の対物側の端部とを、前記レンズキャップ部が前記閉位置にあるときに所定の距離をおいて離間させたことを特徴とするレンズ鏡筒である。
請求項６の発明は、請求項１から請求項５までのいずれか１項に記載のレンズ鏡筒において、前記レンズキャップ部の前記対物レンズに対向する面部は、フィルタ又は補助レンズを備えることを特徴とするレンズ鏡筒である。
請求項７の発明は、請求項１から請求項６までのいずれか１項に記載のレンズ鏡筒と、前記レンズ鏡筒と分割して設けられるとともに回転軸により連結され、前記回転軸回りに前記レンズ鏡筒と相対回転可能な本体部とを備える撮像装置である。
【発明の効果】
【０００８】
以上説明したように、本発明によれば、以下のような効果がある。
レンズ鏡筒の接続部は、鏡胴部側及びレンズキャップ部側にそれぞれ第１の回転部及び第２の回転部を備えた２軸構成とされ、これらの回転部は、レンズキャップ部が鏡胴部に装着された閉位置にある場合には、鏡胴部の外周面部より内部側に位置する。したがって、レンズ鏡筒は、レンズキャップ部装着時において、接続部が鏡胴部の外周面部より外部側へ突出することを防止できる。
また、レンズキャップ部が開位置にある場合、第２の回転部は、鏡胴部の外周面部より外部側に突出するため、レンズキャップ部は、例えば第１の回転部及び第２の回転部における軸線方向がともに光軸に対し略直交する方向である場合には、その表面（閉位置で対物レンズと対向する面とは反対側の面）が鏡胴部の外周面部に対向する位置まで移動する。このため、レンズ鏡筒又は撮像装置は、撮影時の操作性が良い。
【発明を実施するための最良の形態】
【０００９】
本発明は、レンズキャップ部装着時において、鏡胴部とレンズキャップ部との接続部分が鏡胴部の外周面部より外部側へ突出することを防止できるレンズ鏡筒及び撮像装置を提供するという目的を、レンズキャップ部と鏡胴部とをリンクにより接続するとともに、これらの接続部分を相対回転可能とした２軸構成とし、鏡筒側の第１の回転部を鏡胴部の対物側の端部に設け、レンズキャップ部側の第２の回転部を、レンズキャップ部が閉位置にある場合に鏡胴部の外周面部より内部側に位置するように、また、レンズキャップ部が開位置にある場合に鏡胴部の外周面部より外部側に突出するように設けることによって実現する。
【実施例１】
【００１０】
以下、図面等を参照して、本発明の撮像装置であるデジタルスチルカメラの実施例１をあげて、さらに詳しく説明する。
図１は、デジタルスチルカメラ１（以下、「カメラ１」という）を示す斜視図であり、（ａ）は、レンズキャップ部３０が対物レンズＬをカバーした閉位置にあるときの状態を示し、（ｂ）は、レンズキャップ部３０が像光の光路から退避した開位置にあるときの状態を示す。図２は、カメラ１におけるレンズキャップ部３０及び接続部４０の構成を示す分解斜視図である。
【００１１】
カメラ１は、本体部１０及びレンズ鏡筒２０を備えている。
本体部１０は、レンズ鏡筒２０において取得した画像データを記録、表示等する部分であり、略直方体状に形成され、撮影時に撮影者と対向する側の面に図示しないモニタ、複数の操作ボタン等を備えている。
【００１２】
レンズ鏡筒２０は、鏡胴部２１、レンズキャップ部３０、接続部４０、対物レンズＬを含む複数のレンズ群等を備え、撮影の際には、これらのレンズ群によって画像データを取得する部分である。
鏡胴部２１は、その内部に複数のレンズ群を収容しており、その光軸方向に略直交する断面が略正方形とされた略直方体状に形成されている。
この鏡胴部２１は、本体部１０に隣接して配置され、本体部１０に対し図示しない回転軸により接続されており、本体部１０に接続された面部とは反対側の面部に側面部２１ａを備えている。回転軸は、本体部１０及び鏡胴部２１における互いに対向する面部の略中央部分においてこれらを接続し、その軸線方向は、本体部１０と鏡胴部２１との対向する面部に対して略直交する方向となっている。
【００１３】
鏡胴部２１と本体部１０とは、回転軸回りに相対回転可能となっており、撮影者は、例えば対物レンズＬを撮影者自身に向けることにより、自身を被写体として撮影することができる。また、撮影者は、この状態から鏡胴部２１を本体部１０に対して回転軸回りに、例えば１８０°回転させることにより、カメラ１を挟み反対側にいる他の被写体を撮影することもできる。このようなタイプのカメラは、「スイバル式カメラ」と通称されている。
【００１４】
対物レンズＬは、複数のレンズ群のうち、最も入射側に配置されたものであり、鏡胴部２１における光軸方向に沿った方向の一方の端部（以下、「対物側の端部」という）に表出している。この鏡胴部２１の対物側の端部には、対物レンズＬの外周縁部に沿って略環状に形成されたベゼル部２２が、鏡胴部２１と一体的に設けられている。
【００１５】
ベゼル部２２は、鏡胴側軸受部２３、軸孔２４を備えている。鏡胴側軸受部２３は、ベゼル部２２の外周面において、その周方向に離間して一対形成され、鏡胴部２１の側面部２１ａと略直交する方向に、ベゼル部２２から突出している。
軸孔２４は、鏡胴部２１の側面部２１ａより内部側であって、光軸の方向に対して略直交する方向に鏡胴側軸受部２３を貫通して形成されており、以下、これらの軸孔２４を通る軸線を第１の軸線と称して説明する。
【００１６】
レンズキャップ部３０は、非撮影時に対物レンズＬを、傷付きや埃の付着等から保護するために設けられた略円盤状の部材であり、直線部３１、保持部３２、キャップ側軸受部３３を備えている。以下、レンズキャップ部３０は、閉位置において対物レンズＬに対向する側を裏面側、その反対側を表面側と称して説明する。
直線部３１は、レンズキャップ部３０の外周縁部の一部が接線方向と略平行に直線状に切除されるようにして形成された部分である。
【００１７】
保持部３２は、レンズキャップ部３０の直線部３１が形成された部分以外の外周縁部分に沿って延在して形成され、レンズキャップ部３０が閉位置にある状態において、鏡胴部２１の対物側の端部側に向けてレンズキャップ部３０の裏面側から突出して形成される。
この保持部３２の内周側の直径寸法は、ベゼル部２２の外周側の直径寸法に対応しており、レンズキャップ部３０が閉位置のときに保持部３２の内周面部とベゼル部２２の外周縁部とが接触し、その摩擦力によりレンズキャップ部３０がベゼル部２２に装着された状態が保持されるようになっている。
【００１８】
キャップ側軸受部３３は、レンズキャップ部３０において、直線部３１に沿う方向に離間して一対設けられ、直線部３１と略直交する方向に直線部３１から突出するようにレンズキャップ部３０と一体に形成されている。
このキャップ側軸受部３３は、直線部３１と平行な方向に沿って貫通して形成された図示しない軸孔を備えている。これらの軸孔を通る軸線は、光軸の方向に対して略直交する方向に形成され、以下、この軸線を第２の軸線と称して説明する。この第２の軸線と上述の第１の軸線とは、所定の距離をおいて離間しており、略平行となっている。
【００１９】
接続部４０は、レンズキャップ部３０と鏡胴部２１とを接続する部分であり、リンク４１を備えている。
リンク４１は、鏡胴部２１とレンズキャップ部３０との間に架け渡される板状の部材であり、例えば樹脂等の弾性を備える素材により形成されている。このリンク４１は、上述の鏡胴側軸受部２３、キャップ側軸受部３３にそれぞれ対応して一対設けられ、その一方の端部（基端部）側が鏡胴側軸受部２３に支持されるとともに、他方の端部（先端部）側においてキャップ側軸受部３３を支持している。
【００２０】
このリンク４１は、その先端部側に光軸の方向に対して直交する方向に沿って貫通した図示しない取付孔が形成されており、この先端部分において、一対のキャップ側軸受部３３を外側から挟み込んでいる。また、一対のキャップ側軸受部３３の間には、保護管４２が配置されている。この保護管４２は、後述するボルト４３を保護する部材であり、略円筒状に形成され、その内周側を貫通した図示しない貫通孔を備えている。
リンク４１の取付孔と、キャップ側軸受部３３の軸孔と、保護管４２の貫通孔とは、第２の軸線に沿って重なるように配置され、ボルト４３がこれらを貫通するとともに、このボルト４３の先端部にナット４４が締結されることにより、リンク４１とレンズキャップ部３０とは、第２の軸線回りに相対回転可能に接続される（第２の回転部）。
【００２１】
このボルト４３のナット４４に対する締め付けトルクは、例えば回転途中のレンズキャップ部３０のリンク４１に対する回転位置を保持できる程度の摩擦力がリンク４１とキャップ側軸受部３３、及び、キャップ側軸受部３３と保護管４２との接触面に発生するように設定されており、リンク４１とキャップ側軸受部３３との接触面は、相互に押圧された状態で摺動する摩擦面部として機能する。
【００２２】
また、リンク４１は、その基端部側において、レンズキャップ部３０と接続した状態において互いに反対の方向を向く面部にそれぞれ突起４５を備えている。リンク４１は、一対の鏡胴側軸受部２３の間に配置されており、突起４５は、それぞれ対向する側の鏡胴側軸受部２３に設けられた軸孔２４に係合している。これにより、鏡胴部２１とリンク４１とは、第１の軸線回りに相対回転可能に接続される（第１の回転部）。
リンク４１の突起４５が設けられた側の面部間の寸法ｗ１は、例えば回転途中のリンク４１が、その回転位置を保持できる程度の摩擦力がリンク４１と鏡胴側軸受部２３との間に発生するように、鏡胴側軸受部２３の互いに対向する面部間の寸法ｗ２より大きく設定されており、リンク４１と鏡胴側軸受部２３との接触面も、相互に押圧された状態で摺動する摩擦面部として機能する。
【００２３】
このリンク４１は、鏡胴部２１に対して第１の軸線回りに回転することにより、その基端部側の突起４５と先端部側の軸孔とを結ぶ線が、光軸の方向に対し略平行となる位置と、光軸の方向に対し略直交する位置との間を移動できるようになっており、第２の回転部は、前者の場合には鏡胴部２１の側面部２１ａより内部側（光軸に近い側）に位置し（図１（ａ）参照）、後者の場合には鏡胴部２１の側面部２１ａより外部側（光軸に遠い側）に突出（図１（ｂ）参照）するようになっている。
【００２４】
リンク４１（レンズキャップ部３０）と鏡胴側軸受部２３とは、以下に説明する接続方法により接続される。
まず、一対のリンク４１は、鏡胴側軸受部２３の間に挿入可能となるように互いに接近する方向へ向けて押圧され、次いで、突起４５と軸孔２４とが重なる位置まで移動される。この後、リンク４１に対する押圧が解除されることにより、突起４５が軸孔２４に係合する。これによって、鏡胴側軸受部２３に対してリンク４１は、回転可能に支持される。このような接続方法は、「スナップフィット」と通称されている。
リンク４１及びレンズキャップ部３０の鏡胴側軸受部２３からの取り外しは、これとは逆の手順で行われ、第１の回転部は、レンズキャップ部３０と鏡胴部２０とを分離可能にする分離部としての機能も備えている。
【００２５】
以下、図３を参照しながら、このカメラ１におけるレンズキャップ部３０の開閉動作を説明する。
図３は、レンズキャップ部３０の開閉動作を示す斜視図であり、（ａ）は、レンズキャップ部３０が閉位置にある状態を示し、（ｂ）はレンズキャップ部３０及びリンク４１が回転し、第２の回転部が鏡胴部２１の側面部２１ａより外部側に突出した状態を示し、（ｃ）は、レンズキャップ部３０が開位置にある状態を示すものである。
【００２６】
レンズキャップ部３０は、図３（ａ）に示す閉位置では、保持部３２の内周面部とベゼル部２２の外周面部とが接触しており、これらの間に発生する摩擦力により鏡胴部２１に対する装着が保持される。
レンズキャップ部３０は、その裏面が対物レンズＬから離間する方向に向けて第２の軸線回りに回転されることにより閉位置に移動する。リンク４１は、このレンズキャップ部３０に追従して第１の軸線回りに回転し、第２の回転部（リンク４１の先端部側）がレンズ鏡筒２０の側面部２１ａより外部側へ突出する。
【００２７】
この後、レンズキャップ部３０は、第２の軸線回りにさらに回転されることにより、図３（ｃ）に示すように、その表面と鏡胴部２１の側面部２１ａとが対向する位置まで移動する。レンズキャップ部３０及びリンク４１は、第１の回転部及び第２の回転部に発生する摩擦力によって、この開位置において回転角度が保持される。
【００２８】
以上のように、実施例１によれば、レンズ鏡筒２０の接続部４０は、鏡胴部２１側、レンズキャップ部３０側にそれぞれ第１の回転部、第２の回転部を備えた２軸構成とされ、レンズキャップ部３０が鏡胴部２１（ベゼル部２２）に装着された閉位置にある場合に鏡胴部２１の側面部２１ａより内部側に位置し、その側面部２１ａより外部側に突出しないので、カメラ１は、全体的に小型化する。
【００２９】
また、本実施例１のカメラ１は、スイバル式のカメラであり、通常撮影時に撮影者がカメラ１を把持した場合、鏡胴部２１の側面部２１ａは、撮影者の手のひら側と対向するが、レンズキャップ部３０は、その表面が鏡胴部２１の側面部２１ａに対向する位置まで移動することができるため、撮影時に鏡胴部２１から取り外さなくても撮影の支障にならない。
【００３０】
さらに、リンク４１は、第１の回転部においてスナップフィットにより取り付けられ、鏡胴部２１に対し着脱が可能であるため、撮影者は、その好みによって撮影時にレンズキャップ部３０及びリンク４１を鏡胴部２１から取り外すことができる。また、スナップフィットによる着脱であるから、着脱作業は、工具等を必要とせず容易である。
また、リンク４１は、第１の回転部において、レンズキャップ部３０は、第２の回転部において、それぞれ発生する摩擦力により回転位置が保持されるため、撮影中はレンズキャップ部３０が開位置において保持され、例えばカメラ１を通常撮影位置から縦位置に回転させても、レンズキャップ部３０が回転して光路を遮るということがない。
【実施例２】
【００３１】
次に、本発明の撮像装置の実施例２であるデジタルスチルカメラについて説明する。なお、以下説明する各実施例においては、上述した実施例１と同様の部分には、同一の符号を付して説明を省略し、主に相違点について説明する。
図４は、実施例２のデジタルスチルカメラ２における鏡胴部とレンズキャップ部との接続部分を示す斜視図である。
上述した実施例１に比べ、実施例２のリンク２４１は、第１の回転部と第２の回転部との間の寸法が大きくなるように形成され、レンズキャップ部２３０は、保持部２３２におけるレンズキャップ部２３０の厚さ方向に沿った方向の寸法が大きく形成されている。これにより、レンズキャップ部２３０が閉位置にある状態において、ベゼル部２２２の対物側の端部と、レンズキャップ部２３０の裏面との間隔が、実施例１に比べて大きくなっている。
また、ベゼル部２２２は、内周側にねじ溝が形成されており、例えばフィルタやクローズアップレンズ等の補助レンズが装着される装着部として機能している。
実施例２によれば、実施例１と同様の効果に加えて、レンズキャップ部２３０は、ベゼル部２２２に、例えばフィルタや補助レンズを装着することによって、これらがベゼル部２２２の対物側の端部よりさらに対物側に突出した場合であっても、これらを装着したままでベゼル部２２２に装着できる。
【実施例３】
【００３２】
図５は、本発明の撮像装置の実施例３であるデジタルスチルカメラ３における鏡胴部とレンズキャップ部との接続部分を示す斜視図である。
実施例３のレンズキャップ部３３０は、閉位置にあるときに対物レンズＬに対向する部分にフィルタ３３４を備えているものである。
実施例３によれば、実施例１と同様の効果に加えて、レンズキャップ部３３０がフィルタ機能を有しているため、例えばフィルタの使用、不使用を頻繁に繰り返す場合においても、レンズキャップ部３３０を回転させればよく、ベゼル部２２に後付のフィルタをその都度着脱する場合に比べ、作業効率がよい。
（変形例）
【００３３】
以上説明した実施例に限定されることなく、種々の変形や変更が可能であって、それらも本発明の均等の範囲内である。
（１）各実施例において、第１の軸線と第２の軸線とは、略平行とされていたが、これらの方向はこれに限らず他の方向であってもよく、例えば、第１の軸線の方向を光軸の方向に対し略平行とし、第２の軸線の方向をこの方向と略直交する方向としてもよい。
（２）接続部は、リンクと鏡胴部との接続部分（第１の回転部）がスナップフィットによって接続され、レンズキャップ部は、この部分から鏡胴部に対してリンクと併せて着脱できるようになっていたが、例えばリンクとレンズキャップ部との接続部分（第２の回転部）をスナップフィットとし、レンズキャップ部だけを鏡胴部から着脱可能となるようにしてもよい。また、スナップフィットによって接続される部分は、第１の回転部及び第２の回転部の両方であってもよい。
（３）第２の回転部は、鏡胴部の側面部より外部側へ突出する構成であったが、第２の回転部が鏡胴部から外部側へ突出する位置は、本体部との接続面以外の他の外周面部でもよい。
（４）レンズキャップ部とリンクとは、ボルト及びナットによって接続される構成であったが、これらの接続は、ボルト及びナットに代えて、例えば圧入ピンによって行なってもよい。
（５）カメラは、本体部とレンズ鏡筒とが分離して設けられ、相対回転可能とされたタイプの、いわゆる「スイバル式」カメラであったが、カメラは、例えば本体部の対物側の面の中央部分にレンズ鏡筒が取り付けられるタイプでもよく、また、デジタルスチルカメラ以外の、例えばフィルムカメラであってもよい。
（６）実施例３のレンズキャップ部は、対物レンズに対向する部分に、フィルタを備えていたが、レンズキャップ部は、この部分に、例えば補助レンズ等を備えていてもよい。また、これらのフィルタや補助レンズは、レンズキャップ部の外周縁部に対し固定してもよいし、例えばボルト等によって取り付けることにより着脱可能としてもよい。
【図面の簡単な説明】
【００３４】
【図１】実施例１のデジタルスチルカメラを示す斜視図である。
【図２】図１のデジタルスチルカメラにおけるレンズキャップ部及び接続部の構成を示す分解斜視図である。
【図３】図１のデジタルスチルカメラにおけるレンズキャップ部の開閉動作を示す斜視図である。
【図４】実施例２のデジタルスチルカメラにおける鏡胴部とレンズキャップ部との接続部分を示す斜視図である。
【図５】実施例３のデジタルスチルカメラにおける鏡胴部とレンズキャップ部との接続部分を示す斜視図である。
【符号の説明】
【００３５】
１  デジタルスチルカメラ；  １０  本体部；  ２０  レンズ鏡筒；  ２１  鏡胴部
３０  レンズキャップ部；  ４０  接続部；  ４１  リンク
【図１】
2006317793.tif 000003
【図２】
2006317793.tif 000004
【図３】
2006317793.tif 000005
【図４】
2006317793.tif 000006
【図５】
2006317793.tif 000007